(57)【要約】      （修正有）【課題】釘等の取り扱いを容易化して、作業の効率化を図る作業用手袋を提供する。【解決手段】磁性体片を備える作業用手袋１００は、作業者の人差し指への挿着箇所の、中指の側の側部において、人差し指の長さ方向に間隔をあけて設けられた複数個の第１の磁性体片１０ａ、１０ｂと、作業用手袋の中指への挿着箇所の、人差し指の側の側部において、中指の長さ方向に間隔をあけて、前記第１の磁性体片に対応する位置に設けられた複数個の第２の磁性体片１０ｃ、１０ｄと、中指への挿着箇所の、手の甲側の部分において、中指の幅方向に間隔をあけて、かつ、第１、第２の磁性体片よりも前記中指の先端側の位置に設けられた複数個の第３の磁性体片１０ｅ、１０ｆと、手袋の手の平の側の手首部分等に設けられた、少なくとも１個の、第１、第２、第３の何れの磁性体片よりもサイズが大きい第４の磁性体片１４ａ、１４ｂと、を有する。【選択図】図１
0003231260.tif 000002
【実用新案登録請求の範囲】
【請求項１】
磁性体片を備える作業用手袋であって、
前記作業用手袋の、作業者の人差し指への挿着箇所の、中指の側の側部において、前記人差し指の長さ方向に間隔をあけて設けられた複数個の第１の磁性体片と、
前記作業用手袋の前記中指への挿着箇所の、前記人差し指の側の側部において、前記中指の長さ方向に間隔をあけて、前記複数個の第１の磁性体片に対応する位置に設けられた複数個の第２の磁性体片と、
前記中指への挿着箇所の、手の甲側の部分において、前記中指の幅方向に間隔をあけて、かつ、前記第１、第２の磁性体片よりも前記中指の先端側の位置に設けられた複数個の第３の磁性体片と、
前記作業用手袋の手の平側の、手首部分、又は手首付近部分、あるいは手の平部分に設けられた、少なくとも１個の、前記第１、第２、第３の何れの磁性体片よりもサイズが大きい第４の磁性体片と、
を有する、磁性体片を備える作業用手袋。
【請求項２】
手の甲側に設けられた第５の磁性体片、磁性を帯びたリストバンド部分、及び、手の平側の指先に設けられた第６の磁性体片、の少なくとも１つを有する、請求項１に記載の作業用手袋。
【請求項３】
前記作業用手袋を装着した作業者が取り扱う作業対象は、釘、又はネジ、又はナット、又は針状、柱状あるいは棒状の物である、請求項１又は２に記載の作業用手袋。
【請求項４】
作業用手袋に重ねて挿着されると共に磁性体片を備える、人差し指用の指サックであって、
前記作業者の中指側の側部において、前記作業者の人差し指の長さ方向に間隔をあけて設けられた複数個の第１の磁性体片を有する、
又は、
前記第１の磁性体片と、人差し指の、手の平側の指先に設けられる少なくとも１つの磁性体片と、を有する、作業用指サック。
【請求項５】
作業用手袋に重ねて挿着されると共に磁性体片を備える、中指用の指サックであって、
前記作業者の人差し指側の側部において、前記作業者の中指の長さ方向に間隔をあけて、前記複数個の第１の磁性体片に対応する位置に設けられた複数個の第２の磁性体片と、
手の甲側の部分において、前記中指の幅方向に間隔をあけて、かつ、前記第２の磁性体片よりも前記中指の先端側の位置に設けられた複数個の第３の磁性体片と、を有する、
又は、
前記第２、第３の磁性体片と、中指の、手の平側の指先に設けられる少なくとも１つの磁性体片と、を有する、作業用指サック。
【考案の詳細な説明】
【技術分野】
【０００１】
本考案は、例えば、釘、又はネジ、又は針状、柱状あるいは棒状の物（例えば金属製の細い外形を有する物）等を取り扱うことが可能な磁性体片を備える作業用手袋及び指サック等に関する。
【背景技術】
【０００２】
磁石を設けた手袋としては、例えば、空き缶回収用手袋（例えば特許文献１）、マッサージ等の効果がある医療用手袋（例えば特許文献２）、老人がフォークやスプーンを把持し易くする介護用手袋（例えば特許文献３）、平ワッシャやスプリングワッシャをつまみとれるようにした作業用手袋（特許文献４）が提案されている。
【先行技術文献】
【特許文献】
【０００３】
【特許文献１】特開２０００−１５４４０７号公報
【特許文献２】公開実用昭和５５−４２０２１号公報
【特許文献３】実開平７−２４９２８号公報
【特許文献４】昭６１−２４４１４号公報
【考案の概要】
【考案が解決しようとする課題】
【０００４】
釘、細いネジ、針状、柱状あるいは棒状の物（例えば細いニードルや柱状のピン等）は、ある程度の長さを有している。よって、それらを収納するためには、収納具（例えば釘を収納する釘袋）は、その長さ以上の深さが必要となる。
【０００５】
その深めの収納具から、上記の物（作業対象）を取り出すためには、作業者が、手をその収納具に差し入れて対象物をつまみ、収納具外へと持ち上げ、そして、作業に適するように持ち替えるといった一連の動作が必要である。この過程で、作業対象をつかみ損ねたり、落としたりする場合があり、このことが、作業効率の低下の一因となる。
【０００６】
そこで、作業用手袋に磁石（磁性体）を設けて、作業対象を吸着することで、上記の問題を軽減することが考えられる。
【０００７】
特許文献１〜３に記載される手袋では、磁石（磁性体）の用途が異なるため、仮に、それらを作業用手袋として用いたとしても、作業の効率化を図るという上記の目的を達成することはできない。例えば、手袋に取り付けられた多数の磁石（磁性体）が、作業対象を必要以上に吸着してしまう、といった課題が生じるおそれがある。
【０００８】
また、特許文献４は、作業用手袋として本考案と共通するが、特許文献４の場合、平ワッシャやスプリングワッシャを吸着することを主眼とし、本考案とは用途が異なる。すなわち、特許文献４は、平らな物体を吸着する点では効果があると考えられるが、ある程度の深さの収納具から、適切な数の釘等を取り出す、といった用途には不適であると考えられる。
【０００９】
このような課題が、本考案の考案者によって明らかとされた。
【００１０】
本考案の目的の一つは、釘等の作業対象（作業対象物）の取り扱いを容易化して、作業の効率化を図ることができる磁性体片を備える作業用手袋及び作業用指サックを提供することである。
【００１１】
本考案の他の目的は、以下に例示する態様及び最良の実行形態、並びに添付の図面を参照することによって、当業者に明らかになるであろう。
【課題を解決するための手段】
【００１２】
以下に、本考案の概要を容易に理解するために、本考案に従う態様を例示する。下記（１）の態様については、構成を明確化するために、図１における対応箇所の参照符号を参考的に付す。また、（２）の態様については、図１の他に図４も参照して対応箇所の参照番号を付す。また、下記（４）及び（５）の態様については、図８における対応箇所の参照符号を参考的に付す。
【００１３】
（１）本考案の第１の態様において、作業用手袋は、磁性体片を備える作業用手袋（１００）であって、
前記作業用手袋の、作業者の人差し指への挿着箇所の、中指の側の側部において、前記人差し指の長さ方向に間隔をあけて設けられた複数個の第１の磁性体片（１０ａ、１０ｂ）と、
前記作業用手袋の前記中指への挿着箇所の、前記人差し指の側の側部において、前記中指の長さ方向に間隔をあけて、前記第１の磁性体片（１０ａ、１０ｂ）に対応する位置に設けられた複数個の第２の磁性体片（１０ｃ、１０ｄ）と、
前記中指への挿着箇所の、手の甲側の部分において、前記中指の幅方向に間隔をあけて、かつ、前記第１、第２の磁性体片よりも前記中指の先端側の位置に設けられた複数個の第３の磁性体片（１０ｅ、１０ｆ）と、
前記作業用手袋の手の平側の、手首部分、又は手首付近部分、あるいは手の平部分に設けられた、少なくとも１個の、前記第１、第２、第３の何れの磁性体片よりもサイズが大きい第４の磁性体片（１４ａ、１４ｂ）と、
を有する。
【００１４】
第１の態様では、ある程度の長さをもつ作業対象（釘等）の多くが、深めの収納具の底側（奥側）に存在することを考慮して、手袋における磁性体片の配置が工夫されている。例えば、深めの収納具の底（およびその付近）に指先が届くように、５本の指のうちで最も長い「中指の指先」に第１の磁性体を配置し、また、その中指と共に作業対象を挟む（つまむ）ことに関係する「人差し指の指先」に、第２の磁性体片を配置している。
【００１５】
人差し指に配置される第１の磁性体片は、人差し指の、中指側の側部（言い換えれば、中指に対向する側部）において、複数個設けられており、かつ、それらの各第１の磁性体片は、人差し指の長さ方向に間隔をおくようにして配置（固着）されている。よって、人差し指と中指とで、釘等の作業対象をつまむ（挟む）ときに、釘等を、指の長さ方向に沿って、複数の磁性体片で安定的に吸着し、つまみ易くすることができ、さらに、つまんだ釘等が落下するのを防止することもできる。
【００１６】
一方、中指には、上述のとおり、人差し指側の側部（言い換えれば、中指に対向する側部）に複数の第２の磁性体片が配置され、手の甲側（つまり、人差し指の甲）に複数の第３の磁性体片が配置される。第２の磁性体片は、人差し指の長さ方向に間隔をおくようにして配置（固着）されている。よって、第１の磁性体片と同様の効果を得ることが可能である。
【００１７】
すなわち、人差し指と中指とで、釘等の作業対象をつまむ（挟む）ときに、釘等を、指の長さ方向に沿って、複数の磁性体片で安定的に吸着し、つまみ易くすることができ、さらに、つまんだ釘等が落下するのを防止することもできる。
【００１８】
また、第１、第２の各磁性体片は、釘等を人差し指と中指とでつまむことを考慮して、互いに対応する位置に配置されているため、釘等をつまんだときに、釘等を相互に押圧して吸着力を高めるという効果も奏する。
【００１９】
また、中指の、（つまり中指の甲）に配置されている第３の磁性体片は、作業者が収納具（釘袋等）に手を入れたときに、手によるつまむ行為とは別に、少なくとも１本の釘等を吸着して保持することができる。
【００２０】
ここで、第３の磁性体は、中指の幅方向に間隔をおいて複数個が設けられている。１つの磁石片で1本の釘等を吸着する場合には、複数本を同時に吸着して取り出すことができ、また、２つ以上の磁石片で１本の釘等を吸着する場合には、中指の幅方向の複数個所による吸着となり、より安定した固定が可能である。
【００２１】
なお、中指の幅方向に１本の釘等を吸着する場合、その釘等が、つまむ行為に関係して指の長さ方向に保持されている釘等と接触する場合には、吸着外れが生じる可能性もあるが、しかし、本考案では、第３の磁性体片は、第１、第２の磁性体片よりも中指の先端側の位置にて固着されていて、位置が異なることから、上記の接触（釘等の相互干渉）が生じない。よって、安定的に釘等を保持することができる。
【００２２】
また、作業者が手を収納具（釘袋等）から出すと、つまんだ釘等に加えて、中指の甲で吸着した釘等もあわせて取り出すことができ、効率的な取り出しが可能である。
【００２３】
また、手の平側の部分（手首部分、手首付近部分、手の平部分を含む）に配置されている第４の磁性体片は、上記のようにして取り出された釘等のうち、今回の作業（例えば釘打ち作業）に使用しない釘等を、次回の作業用に身近に保持しておく、という効果を奏する。好ましい一例では、この第４の磁性体片は、手首に、又は、手首の付近に設けられる。こうすることで、予備の釘等を、作業中の指(手)に悪影響あたえることなく保持できる可能性が高まる。つまり、好ましい一例としては、第４の磁性体片は、手首部分、あるいは、手首の付近部分に設けられる。但し、これに限定されるものではない。
【００２４】
第４の磁性体片は、第１、第２、第３の何れの磁性体片よりもサイズが大きく（言い換えれば面積が大きく）設定されており、その分、吸着力が強く、例えば釘打ち等の作業をしているときに、手の形が微妙に変形したとしても、広い面積にて、次の作業に使う予備の釘等を安定的に吸着することができる。また、複数の磁性体片を間隔をおいて配置する構成を採用することで、大きな釘等を複数箇所で吸着して保持することができ、大きなサイズの釘等も保持できる。また、大きな釘等が少し傾いた状態で吸着されても安定的に固定可能となる。また、複数の磁性体片があれば、そのうちの１つが手袋の表面から脱落しても他が残り、冗長性の点で優れるという利点もある。
【００２５】
また、手の平（手首部分を含んでもよい）は広いため、例えば手首の近くに第４の磁性体片を設けておくことで、その保持されている釘等が、現在の作業（釘打ち作業等）に悪影響を及ぼすことを抑制することも可能である。
【００２６】
このように、収納具に手を差し入れることで、深い位置にある作業対象（釘等）を吸着して、つまみ（はさみ）に関係する作業対象（釘等）を安定的に容易に取り出し、また、つまむ行為とは別に自動的に他の作業対象（釘等）を吸着し、上記のつまむ行為に関係する作業対象と共に、併せて取り出すことができる。よって、収納具への手の挿入と引き抜きを一度行うことで、今回の作業用、及び、次の作業用の予備の作業対象をまとめて取り出すことが可能であり、よって、取り出しが容易化、効率化される。
【００２７】
また、今回の作業で使用しないものについては、次に用いる予備として手の平側にまとめて吸着、固定することができる。その予備の作業対象（釘等）を、次回の作業に用いることで、収納具に再度、手を挿入する手間が省ける。
【００２８】
これらの一連の効果が発揮されることで、作業自体（作業の全体）が非常に効率化され得る。また、作業対象の落下を防止でき、また、作業対象を正確につまむ、つかむことも容易化され、例えば、今にも落ちそうな釘等をおそるおそる移動させるというような不都合が防止され得る。よって、これらの相乗効果によって、作業効率が格段に向上する。
【００２９】
（２）第１の態様に従属する第２の態様において、
作業用手袋は、手の甲側に設けられた少なくとも１つの第５の磁性体片（１５）、磁性を帯びたリストバンド部分（１６）及び、手の平側の指先に設けられた第６の磁性体片（１１）、の少なくとも１つを有する。
【００３０】
第２の態様では、手の甲側に設けられる少なくとも１つの第５の磁性体片、手首を覆う磁性を帯びたリストバンド部分（帯状の領域）、及び、手の平側の指先に設けられる少なくとも１つの第６の磁性体片、の少なくとも１つを、追加的に設けることができる。第５の磁性体片やリストバンド部分は、上記の第４の磁性体片と同様の効果を発揮する。従って、次の作業に用いることが可能な予備的な作業対象を保持しておくことができる。また、第６の磁性体片は、短い釘等や軽量のもの、平らなクリップ等を吸着でき、手袋の利用範囲の拡大に貢献する。
【００３１】
例えば、右手で釘打ち等の作業をするとき、次に使用可能な予備の釘等を、作業中の右手の第４の磁性体片で保持し、さらに、左手の甲の第５の磁性体片でも保持する、あるいは、磁性を帯びたリストバンド部分も利用して保持することも可能である。これによって、保持できる釘等の数が増え、作業がし易くなる。
【００３２】
（３）第１又は第２の態様に従属する第３の態様において、
前記作業用手袋を装着した作業者が取り扱う作業対象は、釘、又はネジ、又はナット、又は針状、柱状あるいは棒状の物である。
【００３３】
上記のとおり、釘、細いネジ、ナット（特に形状は問わないが、細長いナットも存在する）、針状、柱状あるいは棒状の物（例えば細いニードルや柱状のピン等）は、ある程度の長さを有している場合が多く、それらを収納するためには、収納具（例えば釘を収納する釘袋）は、その長さ以上の深さが必要となる場合がある。
【００３４】
その深めの収納具から、上記の物（作業対象）を取り出すためには、作業者が、手をその収納具に差し入れて対象物をつまみ、収納具外へと持ち上げ、そして、作業に適するように持ち替えるといった一連の動作が必要であるが、その過程で、作業対象をつかみ損ねたり、落としたりする場合があり、作業効率の低下の一因となる。
【００３５】
しかし、本考案の磁性体片を備える作業用手袋によれば、適切な数の釘等を一度に取り出すことができる。また、釘等をつまんで取り出す作業が容易化される。釘等の落下も防止される。また、指の長さ方向に配列されている複数の第１、第２の磁性体片でしっかりと１本の釘等を保持することもできる。
【００３６】
また、第１、第２の磁性体片で１本の釘等の一部を支持し、さらに第３の磁性体片にて、その釘等の他部を支持するといったことも可能で、多様な支持形態が確保され、支持のバリエーションが豊富である。また、取り出した釘等の内、一本又は複数本を、手の平（手首部分を含んでもよい）に設けられている第４の磁性体片にて、作業中も安定に保持することができ、これによっても作業効率が向上する。
【００３７】
よって、本考案によれば、細長い形状の釘等の作業対象物に対して効果的に作用する磁性体を備える、新規な作業用手袋を実現することができる。
【００３８】
（４）第４の態様において、作業用指サック（３００）は、
作業用手袋に重ねて挿着されると共に磁性体片を備える、人差し指用の指サック（３００ａ）であって、
前記作業者の中指側の側部において、前記人差し指の長さ方向に間隔をあけて設けられた複数個の第１の磁性体片（５０ａ、５０ｂ）を有する、
又は、
前記第１の磁性体片と、人差し指の、手の平側の指先に設けられる少なくとも１つの磁性体片（６０）と、を有する。
【００３９】
第４の態様によれば、作業者が普通の手袋を装着し、さらに、人差し指に本態様の指サックを装着することで、上記（１）の態様にて記載した第１の磁性体片の効果を得ることができる。また、手の平側の指先に少なくとも１つの磁性体片を設けることで、例えば、軽量の物品や、細長い小さな釘等、あるいは平板な形状の軽量の物品（例えばクリップ等）を、容易に吸着、あるいは保持することが可能となる。
【００４０】
したがって、磁性体片付きの作業用手袋を持たない人でも、指サックの挿着によって、普通の手袋を、あたかも磁性体付きの手袋のように取り扱って、作業の効率化を図ることが可能となる。
【００４１】
また、指サックを少しずらす（あるいは、手の平側と甲側とを反転して使用する）などして、第１の磁性体片の位置を変更することができる。また、指サックに固着する磁性体の数や位置を調整して、例えば、平坦な金属（例えば事務用クリップ等）も吸着対象としてもよい。
【００４２】
（５）第５の態様において、作業用指サック（３００）は、
作業用手袋に重ねて挿着されると共に磁性体片を備える、中指用の指サック（３００ｂ）であって、
前記作業者の人差し指側の側部において、前記作業者の中指の長さ方向に間隔をあけて、前記複数個の第１の磁性体片（５０ａ、５０ｂ）に対応する位置に設けられた複数個の第２の磁性体片（５０ｃ、５０ｄ）と、
手の甲側の部分において、前記中指の幅方向に間隔をあけて、かつ、前記第２の磁性体片（５０ｃ、５０ｄ）よりも前記中指の先端側の位置に設けられた複数個の第３の磁性体片（５０ｅ、５０ｆ）と、を有する、
又は、
前記第２、第３の磁性体片と、中指の、手の平側の指先に設けられる少なくとも１つの磁性体片（６０）と、を有する。
【００４３】
上記（４）の態様と同様に、作業者が、普通の手袋を装着し、さらに、人差し指に本態様の指サックを装着することで、上記（１）の態様にて記載した第２、第３の磁性体片の効果が得られる。磁性体片付きの作業用手袋を持たない人でも、指サックの挿着によって、普通の手袋を、あたかも磁性体付きの手袋のように取り扱って、作業の効率化を図ることが可能となる。また、指サックを少しずらす（あるいは、手の平側と甲側とを反転して使用する）などして、第２、第３の磁性体片の位置を変更することができる。磁性体の取り付け位置や数を適宜、変更することで、上記（１）の態様にて予定していないような、例えば、平坦な金属（例えば事務用クリップ等）も吸着対象とすることも可能となる。
また、手の平側の指先に少なくとも１つの磁性体片を設けることで、例えば、軽量の物品や、細長い小さな釘等、あるいは平板な形状の軽量の物品（例えばクリップ等）を、容易に吸着、あるいは保持することが可能となる。
【００４４】
当業者は、例示した本考案に従う態様が、本考案の精神を逸脱することなく、さらに変更され得ることを容易に理解できるであろう。
【考案の効果】
【００４５】
本考案により、釘等の作業対象の取り扱いを容易化して、作業の効率化を図ることができる。
【図面の簡単な説明】
【００４６】
【図１】（Ａ）は、本考案の作業用手袋（右手用）の一例の、手の甲側の外観を示す図、（Ｂ）は、手の平側の外観を示す図、（Ｃ）は、（Ｂ）のＡ−Ａ’線に沿う箇所の断面形状、ならびに手袋の甲部、底部、及び一対の側部を示す図である。
【図２】（Ａ）は、本考案の作業用手袋（左手用）の一例の、手の甲側の外観を示す図、（Ｂ）は、手の平側の外観を示す図である。
【図３】（Ａ）は、本考案の作業用手袋（右手用）の他の例（第１の変形例）の、手の甲側の外観を示す図、（Ｂ）は、手の平側の外観を示す図である。
【図４】（Ａ）は、本考案の作業用手袋（右手用）の他の例（第２の変形例）の、手の甲側の外観を示す図、（Ｂ）は、手の平側の外観を示す図である。
【図５】（Ａ）は、本考案の作業用手袋（右手用）の他の例（第３の変形例）の、手の甲側の外観を示す図、（Ｂ）は、手の平側の外観を示す図である。
【図６】（Ａ）は、釘袋から釘を取り出そうとしている作業者を示す図、（Ｂ）は、釘の取り出し状況の一例を示す図である。
【図７】（Ａ）〜（Ｄ）は、取り出した釘を用いて釘打ち作業を実施する場合の手順例を示す図である。
【図８】（Ａ）は、本考案の指サック（及びリストバンド）の使用例を示す図、（Ｂ）及び（Ｃ）は、人差し指に挿着された指サックの構造例を示す図、（Ｄ）〜（Ｆ）は、中指に挿着された指サックの構造例を示す図である。
【図９】（Ａ）〜（Ｃ）は、本考案の指サック（変形例）の使用例、及び構造例を示す図である。
【考案を実施するための形態】
【００４７】
以下、本考案の実施形態について図面を参照して説明する。なお、以下の説明において、磁性体片としては、例えばネオジウム磁石を利用することができる。ネオジウム磁石は、ネオジム、鉄、ホウ素を主成分とする希土類磁石（永久磁石）の一種である。但し、これは一例であり、これに限定されず、用途等に応じて、磁石（磁性体）の種類を使い分けることができる。
また、磁性体片というときの「片」は、一般に、きれはし、ひときれ、のように個別化されている態様であって、例えば、平たく薄い、といった意味合いで用いられる。以下の説明では、ネオジウムの薄く平らな磁性体片は、その外形が、例えば環状（円や楕円を含む。但しこれに限定されない）に加工されたものを、接着材で、密着性の高い手袋の外表面に固着させて、磁性体片を備える作業用手袋を作成している。但し、これは一例であり、これらに限定されるものではない。
また、上記の「片」の厚みに関しては、ある程度の厚みを有する場合もあり、作業に支障を及ぼさない程度に薄い、というように広義に解釈することが好ましい。また、「作業用手袋」という場合の「作業」についても、手や指を用いて行う活動であり、典型的には、物（物品）を扱ったり、作成したり、何らかの目的をもって処理したりする仕事のことである。これについても広義に解釈するものとし、特に、作業の内容は問わない。具体例としては、例えば、釘打ち作業をあげることができる。
【００４８】
（第１の実施形態）
作業用手袋は、通常、左手用／右手用を一対として取り扱われる。本考案の説明においても、一対が原則ではある。但し、本考案は、磁性体（磁石）を備えるという特殊性を有するため、特殊な例として、右手用のみ、あるいは、左手用のみで実施される場合もないとはいえない。この場合は、その右手用のみ、左手用のみが、本考案の対象となり得る。また、一対あるが、左／右の何れか一方のみに磁性体が固着され、他方には磁性体がない場合もあり得る。この場合は、磁性体が有る方の手袋が本考案の対象となり得る。以上を考慮しつつ、以下、本考案の手袋の構造等について、図面を参照しつつ、順をおって説明する。
【００４９】
図１（Ａ）は、本考案の作業用手袋（右手用）の一例の、手の甲側の外観を示す図、図１（Ｂ）は、手の平側の外観を示す図、図１（Ｃ）は、図１（Ｂ）のＡ−Ａ’線に沿う箇所の断面形状、ならびに手袋の甲部、底部、及び一対の側部を示す図である。なお、左手用の作業用手袋は図２に示される。
【００５０】
手袋の材質としては、例えば、ナイロン、ポリエステル、ゴム（天然ゴム、合成ゴム）、ウレタン、綿等、種々のものが考えられるが、特に問わない。但し、手に密着して、指や指先を用いた繊細な動作の妨げとならないものが好ましい。また、材質によっては、人の手が装着されたときと、装着されないときとで形状が異なる場合もあるが、ここでは、原則として、人の手が装着されたときに呈する立体的な形状を想定して説明することとする。
【００５１】
図１（Ａ）、（Ｂ）に示されるように、磁性体片を備える作業用手袋１００は、作業者の人差し指への挿着箇所の、中指の側の側部において、人差し指の長さ方向に間隔をあけて設けられた複数個の第１の磁性体片１０ａ、１０ｂと、作業用手袋の中指への挿着箇所の、人差し指の側の側部において、中指の長さ方向に間隔をあけて、第１の磁性体片１０ａ、１０ｂに対応する位置に設けられた複数個の第２の磁性体片１０ｃ、１０ｄと、中指への挿着箇所の、手の甲側の部分において、中指の幅方向に間隔をあけて、かつ、第１、第２の磁性体片１０ａ〜１０ｄよりも中指の先端側の位置に設けられた複数個の第３の磁性体片１０ｅ、１０ｆと、作業用手袋の手の平の側の部分に設けられた、少なくとも１個の、前記第１、第２、第３の何れの磁性体片よりもサイズが大きい第４の磁性体片１４ａ、１４ｂと、を有する。
【００５２】
また、図１４（Ａ）の下側に示されるように、手の甲側に、第５の磁性体片１５を追加的に設けてもよい。また、後述するが、磁性を帯びたリストバンド部分（図４（Ａ）、（Ｂ）における符号１６）を設けてもよい。言い換えれば、手の甲側に設けられた第５の磁性体片１５、及び、磁性を帯びたリストバンド部分（図４の符号１６）の少なくとも一方を有する構造としてもよい。
【００５３】
また、図１４（Ａ）では、第１の磁性体片１０ａ、１０ｂを総称して第１の磁性部材Ｇ１と称し、また、第２の磁性体片１０ｃ、１０ｄを総称して第２の磁性部材Ｇ２と称し、また、第３の磁性体片１０ｅ、１０ｆを総称して第３の磁性部材Ｇ３と称し、また、第５の磁性体片１５を上位概念的に第５の磁性部材Ｇ５と称している。また、図４（Ｂ）において、第４の磁性体片１４ａ、１４ｂを総称して第４の磁性部材Ｇ４と称している。
【００５４】
また、上記の説明では、指の「側部」という表現があるが、例えば、図１（Ｃ）では、作業用手部六１００の領域Ｚ３、Ｚ４が「側部」に相当する。また、領域Ｚ１は、指の、手の甲側の領域であり、領域Ｚ２は、指の、手の平側の領域である。なお、符号Ｔ１は人差し指の先端部を示し、符号Ｔ２は爪を示す。
【００５５】
図１（Ｃ）は、右手の人差し指の断面を示しているため、領域Ｚ３が、親指側の側部（側面領域）であり、領域Ｚ４が、中指側の側部（側面領域）である。
【００５６】
図１（Ａ）〜（Ｃ）に示される作業用手袋１００は、ある程度の長さをもつ、例えば細長い形状の作業対象（釘等）の多くが、深めの収納具の底側（奥側）に存在することを考慮して、手袋における磁性体片の配置が工夫されている。例えば、深めの収納具の底（およびその付近）に指先が届くように、５本の指のうちで最も長い「中指の指先」に第１の磁性体を配置し、また、その中指と共に作業対象を挟む（つまむ）ことに関係する「人差し指の指先」に、第２の磁性体片を配置している。
【００５７】
人差し指に配置される第１の磁性体片１０ａ、１０ｂは、人差し指の、中指側の側部（言い換えれば、中指に対向する側部）において、複数個設けられており、かつ、それらの各第１の磁性体片１０ａ、１０ｂは、人差し指の長さ方向に間隔をおくようにして配置（固着）されている。
【００５８】
よって、人差し指と中指とで、釘等の作業対象をつまむ（挟む）ときに、釘等を、指の長さ方向に沿って、複数の磁性体片で安定的に吸着し、つまみ易くすることができ、さらに、つまんだ釘等が落下するのを防止することもできる。
【００５９】
一方、中指には、上述のとおり、人差し指側の側部（言い換えれば、中指に対向する側部）に複数の第２の磁性体片１０ｃ、１０ｄが配置され、手の甲側（つまり、人差し指の甲）に複数の第３の磁性体片１０ｅ、１０ｆが配置される。上述のように、第２の磁性体片１０ｃ、１０ｄは、人差し指の長さ方向に間隔をおくようにして配置（固着）されている。よって、第１の磁性体片１０ａ、１０ｂと同様の効果を得ることが可能である。
【００６０】
すなわち、人差し指と中指とで、釘等の作業対象をつまむ（挟む）ときに、釘等を、指の長さ方向に沿って、複数の磁性体片で安定的に吸着し、つまみ易くすることができ、さらに、つまんだ釘等が落下するのを防止することもできる。
【００６１】
また、第１、第２の各磁性体片（１０ａと１０ｃ、１０ｂと１０ｄ）は、釘等を人差し指と中指とでつまむことを考慮して、互いに対応する位置に配置されているため、釘等をつまんだときに、釘等を相互に押圧して吸着力を高めるという効果も奏する。
【００６２】
また、中指の、（つまり中指の甲）に配置されている第３の磁性体片１０ｅ、１０ｆは、作業者が収納具（釘袋等）に手を入れたときに、手によるつまむ行為とは別に、少なくとも１本の釘等を吸着して保持することができる。
【００６３】
ここで、第３の磁性体１０ｅ、１０ｆは、中指の幅方向に間隔をおいて複数個が設けられている。１つの磁石片で1本の釘等を吸着する場合には、複数本を同時に吸着して取り出すことができ、また、２つ以上の磁石片で１本の釘等を吸着する場合には、中指の幅方向の複数個所による吸着となり、より安定した固定が可能である。
【００６４】
なお、中指の幅方向に１本の釘等を吸着する場合、その釘等が、つまむ行為に関係して指の長さ方向に保持されている釘等と接触する場合には、吸着外れが生じる可能性もあるが、しかし、本考案では、第３の磁性体片１０ｅ、１０ｆは、第１、第２の磁性体片１０ａ〜１０ｄよりも中指の先端側の位置（爪側の位置）にて固着されていて、位置が異なることから、上記の接触（釘等の相互干渉）が生じない。よって、安定的に釘等を保持することができる。
【００６５】
また、作業者が手を収納具（釘袋等）から出すと、つまんだ釘等に加えて、中指の甲で吸着した釘等もあわせて取り出すことができ、効率的な取り出しが可能である。
【００６６】
また、手の平側の部分（手首、手首付近、手の平部分を含む）に配置されている第４の磁性体片１４ａ、１４ｂは、上記のようにして取り出された釘等のうち、今回の作業（例えば釘打ち作業）に使用しない釘等を、次回の作業用に身近に保持しておく、という効果を奏する。好ましい一例では、この第４の磁性体片１４ａ、１４ｂは、手首、又は手首付近に設けられる。こうすることで、予備の釘等を、作業中の指(手)に悪影響あたえることなく保持できる可能性が高まる。つまり、好ましい一例としては、第４の磁性体片は、手首部分、あるいは、手首の付近部分に設けられる。但し、取り付け位置は、これに限定されるものではない。
【００６７】
第４の磁性体片１４ａ、１４ｂは、第１、第２、第３の何れの磁性体片（１０ａ〜１０ｆ）よりもサイズ（大きさ）が大きく（言い換えれば面積が大きく）設定されており、その分、吸着力が強く、例えば釘打ち等の作業をしているときに、手の形が微妙に変形したとしても、広い面積にて、次の作業に使う予備の釘等を安定的に吸着することができる。また、複数の第４の磁性体片を所定間隔をおいて設けることで、例えば、大きな釘等が少し傾いた状態で吸着されても安定的に固定可能となる。また、複数の磁性体片があれば、そのうちの１つが手袋の表面から脱落しても他が残り、冗長性の点で優れるという利点もある。
【００６８】
また、手の平（手首部分を含んでもよい）は広いため、例えば手首の近くに第４の磁性体片１４ａ、１４ｂを設けておくことで、その保持されている釘等が、現在の作業（釘打ち作業等）に悪影響を及ぼすことを抑制することも可能である。
【００６９】
なお、釘等の取り出し作業については、後に図７を参照して、より詳しく説明することとする。
【００７０】
図２（Ａ）は、本考案の作業用手袋（左手用）の一例の、手の甲側の外観を示す図、（Ｂ）は、手の平側の外観を示す図である。
【００７１】
図２においては、図１と同じ部分には同じ符号を付すが、但し、区別可能とするために、ダッシュ符号（’）を付している。左手用の作業用手袋も、図１にて説明した右手用の作業用手袋と同じ効果を奏する。
【００７２】
次に、変形例について説明する。図３（Ａ）は、本考案の作業用手袋（右手用）の他の例（第１の変形例）の、手の甲側の外観を示す図、（Ｂ）は、手の平側の外観を示す図である。
【００７３】
図３（Ａ）、（Ｂ）では、先に示した図１（Ａ）、（Ｂ）における作業用手袋の構成に、さらに第１の磁性体片１０ｇ、第２の磁性体片１０ｈを追加している。例えば、長い釘等をつまむ（挟む）ときに、これらの追加した磁性体片１０ｈ、１０ｇが役立つ。
【００７４】
図４（Ａ）は、本考案の作業用手袋（右手用）の他の例（第２の変形例）の、手の甲側の外観を示す図、（Ｂ）は、手の平側の外観を示す図である。
【００７５】
図４（Ａ）では、図１（Ａ）で示した第３の磁性体片１０ｅ、１０ｆに加えて、さらに、第３の磁性体片１０ｉを追加して、中指の幅方向（紙面での左右方向に相当する）における釘等の吸着力（及び保持力）を向上させている。例えば、長い釘等を吸着するときに、追加した磁性体片１０ｉが役立つ。
【００７６】
また、図４（Ｂ）では、第４の磁性体辺１４ｃが追加されている。第４の磁性体片の数が増えることで、吸着力（保持力）が向上する。例えば、長い釘等を吸着して保持するときに、追加した磁性体片１４ｃが役立つ。
【００７７】
また、図４（Ａ）、（Ｂ）に示されるように、作業用手袋１００に、磁性を帯びたリストバンド部分１６を設けることも可能である。なお、このリストバンド部分１６は、手の甲側の第５の磁性体片１５に代えて、あるいは、第５の磁性体片１５と共に、設けられてもよい。つまり、作業用手袋１００は、第５の磁性体片１５、及びリストバンド部分１６の少なくとも一方を有してもよい。
【００７８】
磁性を帯びたリストバンド部分（帯状の領域）１６は、先に説明した第４の磁性体片１４ａ、１４ｂ（及び１４ｃ）と同様の効果を発揮する。従って、次の作業に用いることが可能な予備的な作業対象を保持しておくことができる。
【００７９】
例えば、右手で釘打ち等の作業をするとき、次に使用可能な予備の釘等を、作業中の右手の手の平に設けられている第４の磁性体片１４ａ、１４ｂ（及び１４ｃ）で保持し、さらに、左手の甲の第５の磁性体片１５でも保持する、あるいは、磁性を帯びたリストバンド部分１６も利用して保持することも可能となる。これによって、保持できる釘等の数が増え、作業がし易くなる。
【００８０】
図５（Ａ）は、本考案の作業用手袋（右手用）の他の例（第３の変形例）の、手の甲側の外観を示す図、（Ｂ）は、手の平側の外観を示す図である。
【００８１】
図５（Ｂ）では、人差し指の手の平側の指先において、例えば、指の幅方向における中央位置に、１つの磁性体片１１ａを設けており、また、同様に、中指にも１つの磁性体片１１ｂを設けている。磁性体片１１ａ、１１ｂは、何れか一方のみ設けてもよい。この磁性体片１１ａ、１１ｂは、第６の磁性体片ということができる。
【００８２】
追加された第６の磁性体片１１ａ、１１ｂは、例えば、後述する図９（Ｂ）の例のように、例えば短い釘等や、細い軽量の物品、あるいは、平板な小物類を吸着するといった用途に利用可能である。よって、図５の構成を採用することで、作業用手袋の多機能化が実現される。
【００８３】
次に、実際の作業現場における、本考案の作業用手袋の使用例について説明する。図６（Ａ）は、釘袋から釘を取り出そうとしている作業者を示す図、（Ｂ）は、釘の取り出し状況の一例を示す図である。
【００８４】
図６（Ａ）において、釘打ち作業を行っている作業者１５０は、右手（先に説明した作業用手袋１００を装着している）を後ろに回して、釘袋１６０から釘を取り出そうとしている。釘袋１６０には、釘打ちに使用するハンマー１８２も収納されている。この釘袋１６０の内部（具体的には底部）には多数の釘が収納されており、細長の釘を収納する必要から、釘袋１６０はある程度の深さを有している。したがって、釘を取り出すためには、右手を、釘袋１６０の上部の開口から差し入れる必要がある。このとき、指が、底部にまで届くように深く差し入れ、釘をつまむ等の動作が必要となる。
【００８５】
但し、図６（Ａ）の状況では、作業者１５０は不安定な態勢で、かつ釘を目視できない状況にて手を釘袋１６０に差し入れ、指の感覚を頼りに釘をつまむ等の作業をしなくてはならない。この状況では、一般には、釘のつかみ損ねや釘の落下等が生じ易い。
【００８６】
しかし、本考案の作業用手袋１００を使用することで、図６（Ｂ）に示すように、上記の不都合が解消される。図６（Ｂ）では、釘袋１６０に入れていた手を上に引き上げて外に出した状態が示されている。
【００８７】
人差し指と中指で釘１７０ａをつまみ上げているが、この釘１７０ａは、先に説明した第１の磁性体片１０ａ、１０ｂ、及び第２の磁性体片１０ｃ、１０ｄによって吸着され、保持されている。言い換えれば、つまむ行為が容易化されており、また、落下が効果的に防止されている。
【００８８】
また、中指に着目すると、第３の磁性体片１７０ａ（及び第２の磁性体片１０ｄ）によって釘１７０ｂが吸着されて持ち上げられており、また、第３の磁性体片１０ｆによって釘１７０ｃが吸着されて保持されている。言い換えれば、指でつまむ動作とは別に、２本の予備の釘１７０ｂ、１７０ｃが、自動的に吸着されて持ち上げられている。合計で３本の釘１７０ａ〜１７０ｃを一挙に取り出せたことになる。このようにして、釘の取り出し作業が効率化される。
【００８９】
なお、上記の例では、釘を例にとっているが、作業対象（作業対象物）としては、釘の他、ネジ、針状、柱状あるいは棒状の物であってもよい。
【００９０】
上記のとおり、釘、細いネジ、針状、柱状あるいは棒状の物（例えば細いニードルや柱状のピン等）は、ある程度の長さを有しており、それらを収納するためには、収納具（例えば釘を収納する釘袋）は、その長さ以上の深さが必要となる。
【００９１】
その深めの収納具から、上記の物（作業対象）を取り出すためには、作業者が、手をその収納具に差し入れて対象物をつまみ、収納具外へと持ち上げ、そして、作業に適するように持ち替えるといった一連の動作が必要であるが、その過程で、作業対象をつかみ損ねたり、落としたりする場合があり、作業効率の低下の一因となる。
【００９２】
しかし、上記のとおり、本考案の磁性体片を備える作業用手袋１００によれば、適切な数の釘等を一度に取り出すことができる。また、釘等をつまんで取り出す作業が容易化される。釘等の落下も防止される。また、指の長さ方向に配列されている複数の第１、第２の磁性体片１０ａ〜１０ｄでしっかりと１本の釘等を保持可能である。
【００９３】
また、図６（Ｂ）の例のように、第１、第２の磁性体片（図６（Ｂ）では、１０ｂと１０ｄ）で１本の釘等（図６（Ｂ）では釘１７０ｂ）の一部を支持し、さらに第３の磁性体片（図６（Ｂ）では１０ｅ）にて、その釘等（図６（Ｂ）の釘１７０ｂ）の他部を支持するといったことも可能である。
【００９４】
言い換えれば、第１、第２の磁性体片と、第３の磁性体片とが協働して、１本の釘等を保持することもできる。これは、各磁性体片が、適切に密集して配置されていることで実現されることである。このようにして、多様な支持形態が確保され、支持のバリエーションも豊富となる。
【００９５】
よって、細長い形状の釘等の作業対象物に対して効果的に作用する磁性体を備える、新規な作業用手袋が実現される。
【００９６】
次に、図７を参照して、取り出した釘を使用して釘打ちを行う過程について説明する。図７（Ａ）〜（Ｄ）は、取り出した釘を用いて釘打ち作業を実施する場合の手順例を示す図である。
【００９７】
図７（Ａ）は、先に説明した図６（Ｂ）に相当する図である。すなわち、作業用手袋（右手用）１００を装着した右手の人差し指と中指に取り付けられた磁性体片によって、３本の釘１７０ａ〜１７０ｃが取り出された状態である。
【００９８】
図７（Ｂ）では、作業者が、作業用手袋（左手用）１００を装着した左手の、親指と人さし指で、予備の釘１７０ｃをつまみ、破線の矢印で示すように移動させる。続いて、釘１７０ｂも同様につまみ、移動させる。
【００９９】
図７（Ｃ）では、右手は、図７（Ａ）の状態から、手の平が上向きとされた状態へと変化している。図７（Ｂ）で移動された２本の釘１７０ｂ、１７０ｃは、第４の磁性体片１４ａ、１４ｂに吸着されて保持される。
【０１００】
また、図７（Ｃ）では、人差し指と中指により挟まれている釘１７０ａを、左側に伸びる破線の矢印のように、図７（Ｂ）に示される手の甲側の第５の磁性体片１５’に移動させて、ここで一旦、保持させてもよい。あるいは、右下側に伸びる破線の矢印のように、釘１７０ａを左手の親指と人さし指で挟むことで持ち替え、図７（Ｄ）のような釘打ちの態勢とし、右手に持ったハンマー１８０にて釘打ち作業をしてもよい。なお、ハンマー１８０は、把持部１８２及びヘッド部１８４で構成される。このように効率的な釘の取り扱いが可能である。
【０１０１】
今回の釘打ち作業が終了すると、次に、例えば、第４の磁性体片１４ａ、１４ｂに保持されている釘１７０ｂを取り出し、釘打ちを行うことができる。すなわち、連続して釘打ち作業を行うことが可能であり、作業の効率化が図られる。
【０１０２】
このように、非常に効率的な一連の作業を、無駄なく実施することができる。図７（Ｂ）に示されるように、今回の作業で使用しないものについては、次に用いる予備として、手の平側（及び手の甲側、あるいは手首部分）にまとめて吸着、固定することができる。言い換えれば、まとめて取り出した複数の釘等の内、一又は複数本を、手の平（手首部分を含んでもよい）に設けられている第４の磁性体片１４ａ、１４ｂ、あるいは、第５の磁性体片１５、あるいは、リストバンド部１６等を用いて、作業中も安定に保持することができる。これによっても作業効率が向上する。
【０１０３】
また、保持している予備の作業対象（釘等）を、次回の作業に用いることで、収納具に再度、手を挿入する手間が省ける。
【０１０４】
これらの一連の効果が発揮されることで、作業自体（作業の全体）が非常に効率化され得る。また、作業対象の落下を防止でき、また、作業対象を正確につまむ、つかむことも容易化され、例えば、今にも落ちそうな釘等をおそるおそる移動させるというような不都合が防止され得る。よって、これらの相乗効果で、作業効率が格段に向上する。
【０１０５】
（第２の実施形態）
第２の実施形態では、指サックについて説明する。図８（Ａ）は、本考案の指サック（及びリストバンド）の使用例を示す図、（Ｂ）及び（Ｃ）は、人差し指に挿着された指サックの構造例を示す図、（Ｄ）〜（Ｆ）は、中指に挿着された指サックの構造例を示す図である。
【０１０６】
作業者が普通の手袋を装着し、さらに、人差し指や中指に本考案の作業用指サックを装着することで、第１の実施形態にて説明した効果と同様の効果を得ることができる。したがって、磁性体片付きの作業用手袋を持たない人でも、指サックの挿着によって、普通の手袋を、あたかも磁性体片付きの手袋のように取り扱って、作業の効率化を図ることが可能となる。
【０１０７】
図８（Ａ）では、作業者の右手には普通の手袋（磁性体片をもたない手袋）２００が装着されており、人差し指には、さらに作業用指サック３００ａが挿着され、中指には、作業用指サック３００ｂが挿着されている。必要に応じて、親指用の作業用指サック３００ｃが挿着されてもよく、また、磁力を帯びたリストバンド４００も手首に巻き付けてもよい。なお、指サック３００ａ〜３００ｃを総括的に指す場合には、符号３００を用いることとする。
【０１０８】
図８（Ｂ）、（Ｃ）には、人差し指用の作業用指サック３００ａの外観構成が示されている。この作業用指サック３００ａは、作業用手袋２００に重ねて挿着されると共に磁性体片５０ａ〜５０ｄを備える。
【０１０９】
図８（Ｂ）、（Ｃ）に示すように、作業者の中指の側の側部において、人差し指の長さ方向に間隔をあけて設けられた複数個の第１の磁性体片５０ａ、５０ｂを有する。この第１の磁性体片５０ａ、５０ｂは、先に説明した第１の実施形態における第１の磁性体片１０ａ、１０ｂに相当する。先に説明したのと同様の効果が得られる。
【０１１０】
なお、指サック３００ａを少しずらす（あるいは、手の平側と甲側とを反転して使用する）などして、第１の磁性体片５０ａ、５０ｂの位置を変更することができる。また、指サック３００ａに固着する磁性体の数や位置を調整して、例えば、平坦な金属（例えば事務用クリップ等：参考として図９（Ｂ）参照）も吸着対象としてもよい。
【０１１１】
図８（Ｄ）、（Ｅ）に示すように、中指用の指サック３００ｂは、作業用手袋に重ねて挿着されると共に磁性体片を備える構造を有する。この指サック３００ｂは、作業者の人差し指側の側部において、中指の長さ方向に間隔をあけて、複数個の第１の磁性体片５０ａ、５０ｂに対応する位置に設けられた複数個の第２の磁性体片５０ｃ、５０ｄを有しており、また、手の甲側の部分において、中指の幅方向に間隔をあけて、かつ、第２の磁性体片５０ａ、５０ｂよりも中指の先端側の位置に設けられた複数個の第３の磁性体片５０ｅ、５０ｆを有する。また、指サック３００ｂを中指に挿着（あるいは装着）した場合の外観が、図８（Ｆ）に示されている。
【０１１２】
上記の人差し指用の指サック３００ａと同様に、作業者が、普通の手袋を装着し、さらに、人差し指に本態様の指サックを装着することで、先に説明した第１の実施形態と同様の効果を得ることができる。すなわち、磁性体付きの作業用手袋を持たない人でも、指サックの挿着によって、普通の手袋を、あたかも磁性体付きの手袋のように取り扱って、作業の効率化を図ることが可能となる。また、指サックを少しずらす（あるいは、手の平側と甲側とを反転して使用する）などして、第２、第３の磁性体片５０ｃ〜５０ｆの位置を変更することができる。磁性体の取り付け位置や数を適宜、変更することで、例えば、平坦な金属（例えば事務用クリップ等：参考的に図９（Ｂ）参照）も吸着対象とすることも可能となる。
【０１１３】
なお、親指用の指サック３００ｃに関しては、例えば、図８（Ｄ）、（Ｅ）に示される中指用の指サックと同様の構成（但し、第２の磁性体片は人差し指側に設ける必要がある）とすることができ、また、後述する図９（Ｂ）のような構成であってもよい。
【０１１４】
図９（Ａ）〜（Ｃ）は、本考案の指サック（変形例）の使用例、及び構造例を示す図である。図９（Ａ）に示すように、人差し指用の指サック３１０ａは、磁性体片を有さない普通の手袋２００に重ねて挿着される。図９（Ｂ）、（Ｃ）に示すように、手の甲側に、１つの磁性体片６０が固着されている。これによって、釘等の他、例えばクリップ７０のような平板な金属性の物品も吸着することが可能である。
【０１１５】
以上説明したように、本考案によれば、釘等の作業対象の取り扱いを容易化して、作業の効率化を図ることができる。上記の実施形態で述べた作用効果は例示であり、これに限定されるものではない。
また、釘袋に、長さが異なる多様な釘が収納されている場合にも、本発明は有用である。例えば、１５ｍｍ、３８ｍｍ、４０ｍｍ、７５ｍｍといった長さの釘がまとまって、釘袋の底の方に集まっているとする。このとき、例えば、３８ｍｍ〜７５ｍｍの長い釘は、人差し指と中指でつまんで保持し、１５ｍｍのものは中指の甲で吸着して保持するというような、磁性体片の使い分けが可能であり、この点も、本考案の利点である。
また、短い釘だけが収納されている場合には、作業者は、中指の甲に配置さされている第３の磁性体片１０ｅ、１０ｆを積極的に使用して、その短い釘等を、適切な数だけ吸着して取り出すといったことも可能である。
また、図５（Ｂ）に記載した、人差し指や中指の、手の平側の指先に配置されている第６の磁性体片１１ａ、１１ｂ等を積極的に用いて、短い釘等を、適切な数だけ吸着して取り出すといったことも可能である。このように、本考案の手袋等は、現場の状況に応じて使い分けが可能であり、使い勝手がよい。
また、本考案では、適切な面積をもつ個別化された磁性体片を、間隔をおいて配置等することで、釘等を安定して吸着、保持可能としており、手袋の全体に磁力を付与する形態に比べて、安価に製造でき、また、磁性体片の配置を工夫することで、種々の作業環境に適用可能となるという利点もある。
また、例えば、第４の磁性体片（手の平側の手首等に設けられる磁性体片）を複数個用意し、それらを所定間隔をおいて設けることで、例えば、大きな釘等が少し傾いた状態で吸着されても安定的に固定可能となる。また、複数の磁性体片があれば、そのうちの１つが手袋の表面から脱落しても他が残り、冗長性の点で優れるという利点もある。この冗長性に優れる点は、第１、第２、第３、第５、第６の各磁性体片を複数、設けることの共通の効果でもある。
【０１１６】
本考案は、上記の実施形態に限定されるものではなく、種々、変形、応用が可能である。作業対象（作業対象物）は広義に解釈するものとし、その外形形状等も、上記の実施形態で説明したものに限定されない。
【０１１７】
当業者は、例示した本考案に従う態様が、本考案の精神を逸脱することなく、さらに変更され得ることを容易に理解できるであろう。
【産業上の利用可能性】
【０１１８】
本考案は、磁性体片（広義には磁性体）を有する作業用手袋、及び作業用指サックとして有用である。
【符号の説明】
【０１１９】
１００・・・作業用手袋、
１０ａ、１０ｂ、１０ｇ・・・第１の磁性体片（手袋用）、
１０ｃ、１０ｄ、１０ｈ・・・第２の磁性体片（手袋用）、
１０ｅ、１０ｆ、１０ｉ・・・第３の磁性体片（手袋用）、
１１ａ、１１ｂ・・・磁性体片（手袋用）
１４ａ、１４ｂ、１４ｃ・・・第４の磁性体片、
１５・・・第５の磁性体片、
１６・・・磁性を帯びたリストバンド部分、
５０ａ、５０ｂ・・・第１の磁性体片（指サック用）、
５０ｃ、５０ｄ・・・第２の磁性体片（指サック用）、
５０ｅ、５０ｆ・・・第３の磁性体片（指サック用）、
６０・・・磁性体片（指サック用）
１５０・・・作業者、
１６０・・・釘袋、
１７０ａ〜１７０ｃ・・・釘、
１８２・・・ハンマー、
３００（３００ａ〜３００ｃ）、３１０ａ・・・作業用指サック。
【図１】
0003231260.tif 000003
【図２】
0003231260.tif 000004
【図３】
0003231260.tif 000005
【図４】
0003231260.tif 000006
【図５】
0003231260.tif 000007
【図６】
0003231260.tif 000008
【図７】
0003231260.tif 000009
【図８】
0003231260.tif 000010
【図９】
0003231260.tif 000011